(57)【特許請求の範囲】
【請求項１】
１つあるいは複数の番組および番組選択制御情報を符号化・多重化して、番組選択制御情報を有する多重信号を生成する手段と、
前記番組選択制御情報を有する多重信号を伝送符号化して、前記番組選択制御情報を有する伝送信号を生成する手段と、
前記番組選択制御情報に基づいてＡＣキャリアまたはＴＭＣＣキャリアをＤＢＰＳＫ変調して、前記番組選択制御情報を有するＡＣキャリアまたはＴＭＣＣキャリアを生成する手段と、
前記番組選択制御情報を有する伝送信号を伝送するキャリアと前記番組選択制御情報を有するＡＣキャリアまたはＴＭＣＣキャリアとが組み込まれたフレーム構成を有するＯＦＤＭ信号を生成する手段とを具えることを特徴とするデジタル放送の送信装置。
【請求項２】
請求項１記載のデジタル放送の送信装置において、前記番組選択制御情報から自動収録制御情報を生成し、その自動収録制御情報により前記ＡＣキャリアまたは前記ＴＭＣＣキャリアをＤＢＰＳＫ変調することを特徴とするデジタル放送の送信装置。
【請求項３】
請求項１または２記載のデジタル放送の送信装置によって送信されたＯＦＤＭ信号を受信するデジタル放送の受信装置であって、
前記ＯＦＤＭ信号をフレームデコードして、前記番組選択制御情報を有する伝送信号を伝送するキャリアと前記番組選択制御情報を有するＡＣキャリアまたはＴＭＣＣキャリアとを分離する手段と、
前記前記番組選択制御情報を有する伝送信号から所定の番組および前記番組選択制御情報を取得する手段と、
前記番組選択制御情報を有するＡＣキャリアまたはＴＭＣＣキャリアに基づいて前記所定の番組および前記番組選択制御情報を取得する手段の稼動を制御する手段とを具えることを特徴とするデジタル放送の受信装置。
【請求項４】
請求項３記載のデジタル放送の受信装置において、前記ＤＢＰＳＫ変調されたＡＣキャリアまたはＴＭＣＣキャリアをＤＢＰＳＫ復調して、前記所定の番組および前記番組選択制御情報を取得する手段の稼動を制御する情報を取得することを特徴とするデジタル放送の受信装置。
【発明の詳細な説明】
【０００１】
【発明の属する技術分野】
本発明は、デジタル放送の送信装置および受信装置に係り、特に、番組信号と並行して自動収録（一般に、予約録画とも言う）用の制御信号（以下、自動収録制御信号と言う）を送信する送信装置、および、その送信された制御信号を利用して番組の自動収録を行う受信装置に関するものである。
【０００２】
【従来の技術】
デジタル放送の送信装置では、図４に示すように、送信側で複数の番組（番組１からＸまでで示される）を符号化部１によりそれぞれ符号化した後、多重化部２で多重化し、１つの多重信号にする。このとき、番組名、番組開始・終了時刻、番組分類などの番組選択用の制御情報（以下、番組選択制御情報と言う）も符号化器１で符号化し、複数の番組とともに多重化器２において多重化される。その後、伝送符号化部３で誤り訂正、符号化変調などの伝送符号化を行って送信する。
【０００３】
一方、この送信された信号を受信する受信装置は、図５に示すように、まず、伝送復号化部４で受信信号を伝送復号化し、多重信号を得る。次に、分離化部５で所望の番組（例えば、番組Ａ）を分離し、さらに復号化（復号化は復号化部６で行われる）を行って視聴し得るようにする。このために、分離化部５において多重信号から符号化された番組選択制御情報を分離し、復号化部６で復号化することによって番組選択制御情報を得、この番組選択制御情報から、受信者が、例えば、番組表を構成することによって、複数の番組のなかから所望の番組を容易に選択することができるようになっている。このような多重信号としてはＭＰＥＧ−２ＴＳ（ＩＳＯ／ＩＥＣ１３８１８−１）があり、また、番組選択制御情報としては番組配列情報（ＡＲＩＢ  ＳＴＤ−Ｂ１０）がある。番組を予約して自動収録する場合は、受信者が番組選択制御情報の番組開始・終了時刻の情報をもとに受信機の外にある自動収録制御部７のタイマーをセットすることで、番組の自動収録を可能にしている。
【０００４】
【発明が解決しようとする課題】
ところで、受信者がタイマーをセットし、番組を自動収録しようとする場合、収録時刻までの自動収録待機中に放送の番組開始・終了時刻が変更されると所望の番組の収録（以下では、所望番組の収録が行われることを正確な収録と言う）ができなくなる。このため、正確な収録を行うには、受信側において、少なくとも最新版に変更された番組選択制御情報を常に受信し、変更された番組開始・終了時刻を知る必要がある。このためには、受信機は自動収録の待機中であっても、少なくとも伝送復号化部４、分離化部５および番組選択制御情報の復号化部６を常に稼動させ（電源オンの状態にしておく）、自動収録制御部７のタイマーを正しい時刻（変更された後の時刻）にセットするようにしなければならず、そのためには、消費電力が大きくなると言う解決すべき課題があった。
【０００５】
本発明の目的は、受信装置が自動収録の待機中には、受信装置中の伝送復号化部４、分離化部５および番組選択制御情報の復号化部６を稼動状態にさせる必要がないようにし、もって、自動収録の待機中に消費電力を節約するデジタル放送の送信装置および受信装置を提供することにある。
【０００６】
上記目的を達成するために、本発明によるデジタル放送の送信装置は、
１つあるいは複数の番組および番組選択制御情報を符号化・多重化して、番組選択制御情報を有する多重信号を生成する手段と、
前記番組選択制御情報を有する多重信号を伝送符号化して、前記番組選択制御情報を有する伝送信号を生成する手段と、
前記番組選択制御情報に基づいてＡＣキャリアまたはＴＭＣＣキャリアをＤＢＰＳＫ変調して、前記番組選択制御情報を有するＡＣキャリアまたはＴＭＣＣキャリアを生成する手段と、
前記番組選択制御情報を有する伝送信号を伝送するキャリアと前記番組選択制御情報を有するＡＣキャリアまたはＴＭＣＣキャリアとが組み込まれたフレーム構成を有するＯＦＤＭ信号を生成する手段とを具えることを特徴とするものである。
【０００７】
また、本発明によるデジタル放送の送信装置は、前記番組選択制御情報から自動収録制御情報を生成し、その自動収録制御情報により前記ＡＣキャリアまたは前記ＴＭＣＣキャリアをＤＢＰＳＫ変調することを特徴とするものである。
【０００８】
また、本発明によるデジタル放送の受信装置は、
本発明デジタル放送の送信装置によって送信されたＯＦＤＭ信号を受信するデジタル放送の受信装置であって、
前記ＯＦＤＭ信号をフレームデコードして、前記番組選択制御情報を有する伝送信号を伝送するキャリアと前記番組選択制御情報を有するＡＣキャリアまたはＴＭＣＣキャリアとを分離する手段と、
前記前記番組選択制御情報を有する伝送信号から所定の番組および前記番組選択制御情報を取得する手段と、
前記番組選択制御情報を有するＡＣキャリアまたはＴＭＣＣキャリアに基づいて前記所定の番組および前記番組選択制御情報を取得する手段の稼動を制御する手段とを具えることを特徴とするものである。
【０００９】
また、本発明によるデジタル放送の受信装置は、前記ＤＢＰＳＫ変調されたＡＣキャリアまたはＴＭＣＣキャリアをＤＢＰＳＫ復調して、前記所定の番組および前記番組選択制御情報を取得する手段の稼動を制御する情報を取得することを特徴とするものである。
【００１０】
【発明の実施の形態】
以下に添付図面を参照し、発明の実施の形態に基づいて本発明を詳細に説明する。
なお、以下に説明する本発明の実施の形態においては、ＯＦＤＭ信号を用いるわが国の地上デジタル放送に本発明を適用するものとする。
図１は、本発明によるデジタル放送の送信装置の一実施形態をブロック図にて示している。
図１中、図４において示したのと同一の回路部分には同一の符号を付して示し、その説明は省略する。
【００１１】
わが国の地上デジタル放送においては、図１に示すように、１つあるいは複数の番組（番組１から番組Ｘまでで示される）や番組選択制御情報を符号化・多重化して多重信号（ＭＰＥＧ２−ＴＳ）をつくり、その多重信号を伝送用に伝送符号化し（ここまでは、図４に示される）、さらにＯＦＤＭフレーム構成部８においてＯＦＤＭ信号（ＩＳＤＢ−Ｔ信号）にフレーム構成されて伝送される。
ＯＦＤＭ信号はマルチキャリアであり、多重信号（ＭＰＥＧ２−ＴＳ）を伝送するキャリアと、復調に際して必要な同期や基準のためのパイロット信号としてＣＰ（Cntinuous Pilot)、ＴＭＣＣ（Transmission Mode Control Channel)およびＡＣ（Auxiliary Channel)の各キャリアとがＯＦＤＭフレーム構成時に組み込まれる。これらのうちＴＭＣＣキャリアとＡＣキャリアはＤＢＰＳＫ（Differencial Binary Phase Shift Keying) デジタル変調されており、情報の伝送が可能である。
【００１２】
本実施形態では、ＡＣキャリアやＴＭＣＣキャリアを、番組信号に比べてはるかに情報量の少ない番組選択制御信号および／または自動収録制御信号によってＤＢＰＳＫ変調して送信すれば、受信側において多重化された番組信号を分離・復号化する回路部分を稼動状態にし、そこから正しい（変更された）番組選択制御信号等を取り出さなくても、受信側において、殆んど電力を消費しない専用のＤＢＰＳＫ復調回路から正しい番組選択制御信号等が取り出せると考えたことに、その着眼がある。
【００１３】
本実施形態においては、このような考えのもとに、正しい番組選択制御情報を自動収録制御情報生成部９に取り込み、番組開始・終了時刻や自動収録の開始・終了トリガーなどの自動収録制御情報を生成し、さらにＡＣ（Auxiliary Channel)符号化部１０において、ＡＣキャリアを上記生成した自動収録制御情報によりＤＢＰＳＫ変調してＯＦＤＭフレーム構成部８に供給して多重化信号とともに送信する。
【００１４】
なお、上記においては、自動収録制御情報をＡＣキャリアを用いて受信側に送信するものとしたが、これは、ＡＣキャリアに代えてＴＭＣＣキャリアを用いて送信してもよい。
また、図５につき説明したように、受信側において、自動収録制御情報を受信側において番組選択制御情報から生成するものとすると、ＡＣキャリアまたはＴＭＣＣキャリアを用いて送信する情報は番組選択制御情報のみであってもよい。
【００１５】
これによれば、受信側において、番組を受信・再生するための番組復号部の電源がオフ状態（すなわち、自動収録の待機中）であっても、番組選択制御情報および／または自動収録制御情報が電力を殆んど消費しない専用回路から再生され、所望番組の正しい（変更された）番組開始時刻になると自動的に収録が開始され、終了時刻になると収録を自動的に停止するということが実行され、なおかつ、番組選択制御情報および／または自動収録制御情報を再生する専用回路は電力を殆んど消費しないため、自動収録の待機中に消費する電力を大幅に節約することができる。
【００１６】
次に、本発明によるデジタル放送の受信装置について説明する。
この受信装置は、番組の視聴を行うときには、番組選択を行うために多重信号から番組選択制御情報を取り出し、また、自動収録の待機中には、ＡＣキャリアおよび／またはＴＭＣＣキャリアを復号することによって自動収録制御情報（または番組選択制御情報）を取り出し得るように構成されている。
【００１７】
図２は、本発明によるデジタル放送の受信装置の第１の実施形態をブロック図にて示している。
図２中、図５において示したのと同一の回路部分には同一の符号を付して示し、その説明は省略する。
本実施形態においては、自動収録制御情報は、図１に示す送信装置からＡＣキャリアをＤＢＰＳＫ変調することによって伝送されてくるものとする。
【００１８】
受信されたＯＦＤＭ信号（ＩＳＤＢ−Ｔ信号）はＯＦＤＭデコード部１１に供給されてフレームデコードされ、伝送信号とＡＣキャリアが取り出される。取り出された伝送信号は番組信号復号部１２に供給され、最終的に番組と番組選択制御信号が再生されることは、図５につき説明したのと同じである。ＯＦＤＭデコード部１１から取り出されたもう一方の信号であるＡＣキャリアはＡＣ復号化部１３に供給され、同復号化部はＡＣキャリアをＤＢＰＳＫ復調することで自動収録制御情報を出力する。
【００１９】
自動収録制御情報は自動収録制御部１４に供給されて、同情報から所望の番組の開始・終了時刻や自動収録の開始・終了トリガーを取り出し、これら時刻情報やトリガー情報を用いて番組信号復号部１２の稼動を制御し（電源のオン・オフ制御）、番組信号復号部１２が内蔵し、もしくは復号部とは別に設けたＶＣＲ（ビデオカセットレコーダー等の収録装置）に所望の番組を自動収録するようにする。
【００２０】
ここで、番組収録時には番組信号復号部１２が稼動状態でなければならない理由は、これが稼動状態でないとＶＣＲ等に収録すべき番組の信号が得られないからである。従って、番組信号復号部１２は、常時は、非稼動状態にあるが、収録時には自動収録制御部１４によって稼動状態にさせる必要がある。
【００２１】
なお、ＯＦＤＭフレームデコード部１１、ＡＣ復号化部１３、および自動収録制御部１４は常時稼動状態であっても勿論よいが、間欠的な稼動でもよく、要は、番組の時刻変更などによって更新された自動収録制御情報が漏れなく受信復号化できるものであれば全体の動作に支障を生じない。
【００２２】
図３は、本発明によるデジタル放送の受信装置の第２の実施形態をブロック図にて示している。
図３中、図２において示されたのと同一の回路部分には同一の符号を付して示し、その説明は省略する。
本実施形態（受信装置の第２の実施形態）が上述した受信装置の第１の実施形態と異なる点は、本実施形態では、ＶＣＲ等に番組を収録すること自体は、図５（従来例）の場合と同じく、その制御を自動収録制御部７が行い、符号１５で示す番組開始・終了時刻変更検知部において、ＡＣ復号化１３から得られた番組選択制御情報をもとに時刻変更を検知して、その変更された時刻に基づいて番組信号復号部１２を稼動状態にしている点である。
【００２３】
従って、本実施形態の場合には、ＡＣキャリア等により伝送される制御情報によって直接ＶＣＲの自動収録を制御するものではないから、送信側からは変更された番組開始・終了時刻または変更されたことを示すフラグ情報等が送られて来ればよい。
なお、以上の実施形態はＯＦＤＭ伝送の場合であるが、ほかに、例えば、ＢＳデジタル放送等の場合には、ＴＭＣＣ信号により前記自動収録制御情報を伝送するようにしてもよい。
【００２４】
【発明の効果】
本発明によれば、デジタル放送の受信装置の番組信号復号部を常時動作状態にしておかなくてもよいので、受信装置の自動収録の待機中の消費電力を大幅に節約することができる。
【図面の簡単な説明】
【図１】  本発明によるデジタル放送の送信装置の一実施形態をブロック図にて示している。
【図２】  本発明によるデジタル放送の受信装置の第１の実施形態をブロック図にて示している。
【図３】  本発明によるデジタル放送の受信装置の第２の実施形態をブロック図にて示している。
【図４】  デジタル放送の従来の送信装置の構成をブロック図にて示している。
【図５】  デジタル放送の従来の受信装置の構成をブロック図にて示している。
【符号の説明】
１  符号化部
２  多重化部
３  伝送符号化部
４  伝送復号化部
５  分離化部
６  復号化部
７  自動収録制御部
８  ＯＦＤＭフレーム構成部
９  自動収録制御情報生成部
10  ＡＣ符号化部
11  ＯＦＤＭフレームデコード部
12  番組信号復号部
13  ＡＣ復号化部
14  自動収録制御部
15  番組開始・終了時刻変更検知部
【図１】
0004005296.tif 000002
【図２】
0004005296.tif 000003
【図３】
0004005296.tif 000004
【図４】
0004005296.tif 000005
【図５】
0004005296.tif 000006